(57)【要約】【課題】欄干パネルに穴あけ作業をすることなく、欄干パネルに操作盤を設置することを可能にした乗客コンベア用操作盤の提供を目的とする。【解決手段】上記目的は、駆動機の回転を制御する指令を送信する操作盤７を、欄干パネル８の内側面８Ａに直に固定される第一ブラケット１２と、この第一ブラケット１２に設けられる押し釦部材１３と、この押し釦部材１３の先端部に設けられる金属体１４と、第一ブラケット１２に取り付けられて押し釦部材１３を覆う第一カバー１５と、欄干パネル８の外側面８Ｂに直に固定される第二ブラケット１６と、金属体１４に対向するように第二ブラケット１６に設けられる近接センサー１７と、第二ブラケット１６に取り付けられて近接センサー１７を覆う第一カバー１８とから構成することで、達成できる。【選択図】　　　図３
2004142851.tif 000002
【特許請求の範囲】
【請求項１】
乗客を搬送する踏み面と、この踏み面の両側に立設する欄干と、この欄干の上部に設けられる移動手摺及び前記踏み面を同期して移動させるための駆動機を制御する制御装置とを、少なくとも備えた乗客コンベアであって、その乗客コンベアの前記欄干の欄干パネルに前記駆動機の回転を制御する指令を送信するための操作盤を取り付けるようにした乗客コンベア用操作盤において、前記操作盤を、前記欄干パネルの内側面に直に固定される第一ブラケットと、この第一ブラケットに設けられる押し釦部材と、この押し釦部材の先端部に設けられる金属体と、前記第一ブラケットに取り付けられて前記押し釦部材を覆う第一カバーと、前記欄干パネルの外側面に直に固定される第二ブラケットと、前記金属体に対向するように前記第二ブラケットに設けられる近接センサーと、前記第二ブラケットに取り付けられて前記近接センサーを覆う第一カバーとから構成し、前記押し釦部材が押されて前記金属体が前記欄干パネルの内側面に接近すると前記近接センサーから指令信号が前記制御装置に送信されるようにしたことを特徴とする乗客コンベア用操作盤。
【請求項２】
前記欄干パネルを強化ガラス製とし、その欄干パネルの内側面に前記第一ブラケットを、かつ、その欄干パネルの外側面に前記第二ブラケットを、それぞれ接着剤若しくは両面テープで固定したことを特徴とする請求項１記載の乗客コンベア用操作盤。
【請求項３】
前記第二ブラケットに対する近接センサーの取り付け位置が調節可能となるように、前記近接センサーを第二ブラケットに取り付けたことを特徴とする請求項１若しくは２記載の乗客コンベア用操作盤。
【請求項４】
前記押し釦部材の外郭に設けたフランジ部と前記第一ブラケットとの間には、前記押し釦部材を指で押すと前記フランジ部が前記第一ブラケットから離れ、かつ、前記押し釦部材から指を離すと前記フランジ部を前記押し釦部材を覆う第一カバーの裏面側に押圧させる押しばねを設けてなることを特徴とする請求項１、２若しくは３記載の乗客コンベア用操作盤。
【発明の詳細な説明】
【０００１】
【発明の属する技術分野】
本発明は、エスカレーターや動く歩道などの乗客コンベアの欄干に装着するのに好適な乗客コンベア用操作盤に関するものである。
【０００２】
【従来の技術】
近年、都市等におけるバリアフリー化の推進により、車椅子使用者や足腰の弱くなってきた老人などが安全に乗客コンベアを利用できるように、乗客コンベアの移動手摺及び踏み面の移動速度を通常速度（約３０ｍ／分）よりも低い移動速度に設定することが求められている。
【０００３】
そのために、移動手摺及び踏み面の移動速度が可変しない既設乗客コンベアにおいては、インバータなどを用いて駆動機の回転制御を行うようにするとともに、その駆動機の回転を制御する指令を送信するための操作盤を欄干に取り付けることにより、乗客コンベアに乗り込む車椅子使用者や足腰の弱くなってきた老人などが乗客コンベアの入口部分でその操作盤を操作して乗客コンベアの移動手摺及び踏み面の移動速度を低い移動速度に設定することができるように改造することが急速に行われている。
【０００４】
その際、駆動機の回転を制御する指令を送信するための操作盤は、車椅子使用者や足腰の弱くなってきた老人などが乗客コンベアの入口部分で操作しやすいように、欄干パネルに取り付けていた。そして、その操作盤は、欄干パネルに取り付け用の孔を設けて、その孔を利用して欄干パネルに取り付けるようにしていた（例えば、特許文献１参照。）。
【０００５】
【特許文献１】
特開平４−３４５４９２号公報
（第２頁，左段第２８行〜第４１行、図２，図３）
【０００６】
【発明が解決しようとする課題】
上記公報に記載のように、欄干パネルに取り付け用の孔を設けるには、次のような問題点があった。
【０００７】
（１）既設乗客コンベアの欄干パネルがステンレス製である場合には、現地で操作盤用の取り付け孔を追加加工することが可能であるが、欄干パネルが強化ガラス製である場合には、その強化ガラスに少しでも傷が付いてしまうとその強化ガラスが破壊してしまうので、現地で操作盤用の取り付け孔を追加加工することがきわめて困難である。
【０００８】
（２）そこで、既設乗客コンベアの欄干パネルが強化ガラス製である場合には、工場で操作盤用の取り付け孔付きの新しい強化ガラス製の欄干パネルを製作し、その新しい強化ガラス製の欄干パネルを既設乗客コンベアの現地に運び、既設乗客コンベアの欄干パネルと交換するようにしている。そのために、既設乗客コンベアの改造作業時間が大幅に長くなり、既設乗客コンベアを利用していた乗客に長時間亘り不便を強いている。
【０００９】
本発明の目的は、上記問題点に鑑み、欄干パネルに取り付け用の孔を設けることなく、既設乗客コンベアの現地で、欄干パネルに操作盤を簡単に設置することのできる乗客コンベア用操作盤を提供することにある。
【００１０】
【課題を解決するための手段】
上記目的を達成するために、本発明は、乗客を搬送する踏み面と、この踏み面の両側に立設する欄干と、この欄干の上部に設けられる移動手摺及び前記踏み面を同期して移動させるための駆動機を制御する制御装置とを、少なくとも備えた乗客コンベアであって、その乗客コンベアの前記欄干の欄干パネルに前記駆動機の回転を制御する指令を送信するための操作盤を取り付けるようにした乗客コンベア用操作盤において、前記操作盤を、前記欄干パネルの内側面に直に固定される第一ブラケットと、この第一ブラケットに設けられる押し釦部材と、この押し釦部材の先端部に設けられる金属体と、前記第一ブラケットに取り付けられて前記押し釦部材を覆う第一カバーと、前記欄干パネルの外側面に直に固定される第二ブラケットと、前記金属体に対向するように前記第二ブラケットに設けられる近接センサーと、前記第二ブラケットに取り付けられて前記近接センサーを覆う第一カバーとから構成し、前記押し釦部材が押されて前記金属体が前記欄干パネルの内側面に接近すると前記近接センサーから指令信号が前記制御装置に送信される構成にしたものである。
【００１１】
このように構成した本発明では、欄干の欄干パネルに取り付け用の孔を設けることなく、欄干パネルの内側面に直に固定される第一ブラケットによって押し釦部材が欄干パネルの内側面側に支持され、かつ、欄干パネルの外側面に直に固定される第二ブラケットによって近接センサーが欄干パネルの外側面側に押し釦部材と対向する状態で支持される。したがって、移動手摺及び踏み面の移動速度が可変しない既設エレベーター等の乗客コンベアを改造して、インバータ等を用いて駆動機の回転制御を行うようにするとともに、駆動機の回転を制御する指令を送信する操作盤を欄干パネルに取り付ける際、欄干パネルに取り付け用の孔を設けるための穿孔作業が不要となるので、操作盤を欄干パネルに簡単に取り付けることができ、その改造作業時間が短縮化される。
【００１２】
【発明の実施の形態】
以下，本発明の乗客コンベア用操作盤の一実施形態を図に基づいて説明する。
【００１３】
図１において、乗客コンベア１は、エスカレーターからなり、乗客を搬送する踏み面２と、この踏み面２の両側に立設する欄干３と、この欄干３の上部に設けられる移動手摺４と踏み面２を同期して移動させるための駆動機５を制御する制御装置６と、欄干３に取り付けられる駆動機５の回転を制御する指令を送信するための操作盤７とを備えている。操作盤７は、エスカレーターの下部入口側に配設されている。駆動機５及び制御装置６は、エスカレーターの上部機械室に配設されている。
【００１４】
欄干３は、図２示すように、強化ガラス製の欄干パネル８と、内デッキ９、外デッキ１０、案内レール１１などからなっている。案内レール１１は、欄干パネル８の上部に設けられている。移動手摺４は、案内レール１１に沿って移動する。駆動機５は、制御装置６により、インバータ制御されて、操作盤７を操作することで、回転数が可変するようにしてある。たとえば、操作盤７を操作しない状態では、移動手摺４及び踏み面２の移動速度を通常速度（３０ｍ／分）となり、かつ、操作盤７を操作した状態では、移動手摺４及び踏み面２の移動速度が通常速度の約半分（１５ｍ／分）程度となるように、駆動機５の回転速度が制御される。
【００１５】
操作盤７は、図３に示すように、欄干パネル８の内側面８Ａに直に固定される第一ブラケット１２と、この第一ブラケット１２に設けられる押し釦部材１３と、この押し釦部材１３の先端部に設けられる金属体１４と、第一ブラケット１２に取り付けられて押し釦部材１３を覆う第一カバー１５と、欄干パネル８の外側面８Ｂに直に固定される第二ブラケット１６と、金属体１４に対向するように第二ブラケット１６に設けられる近接センサー１７と、第二ブラケット１６に取り付けられて近接センサー１７を覆う第二カバー１８とから構成し、押し釦部材１３が押されて金属体１４が欄干パネル８の内側面８Ａに接近すると近接センサー１７から指令信号が制御装置６に送信される構成にしてある。
【００１６】
第一ブラケット１２及び第二ブラケット１６は、できるだけ軽量で変形しにくい材料から作られる。第一ブラケット１２は、欄干パネル８の内側面８Ａに、かつ、第二ブラケット１６は、欄干パネル８の外側面８Ｂに、それぞれ接着剤若しくは両面テープで直に取り付けられる。第一カバー１５及び第二カバー１８も、できるだけ軽量で変形しにくい材料から作られ、操作盤７の軽量化が図られるように工夫されている。
【００１７】
押し釦部材１３の外郭に設けたフランジ部１３Ａと第一ブラケット１２との間には、図３に示すように、コイル状の押しばね１９が設けられる。押しばね１９は、押し釦部材１３を指で押すとフランジ部１３Ａが第一カバー１５から離れ、かつ、押し釦部材１３から指を離すとフランジ部１３Ａが押し釦部材１３を覆う第一カバー１５に押圧させる機能を有している。
【００１８】
近接センサー１７は、図４に示すように、円筒状ケース２０内に、検出コイル２１とアンプ２２を収納した構成としてある。円筒状ケース２０の外周には、図３に示すように、雄ねじ部２０Ａが形成されている。近接センサー１７は、円筒状ケース２０の雄ねじ部２０Ａを第二ブラケット１６に設けた取り付けねじ穴に螺着させるとともに、円筒状ケース２０の雄ねじ部２０Ａに螺着させた２個のナット２３、２３Ａにより第二ブラケット１６を挟み込むことで、第二ブラケット１６に取り付けられる。第二ブラケット１６に設けた取り付けねじ穴に対する円筒状ケース２０の雄ねじ部２０Ａの水平方向の螺着位置を変えることで、近接センサー１７の第二ブラケット１６に対する取り付け位置を調整することができる。近接センサー１７からは、図３及び図４に示すように、制御装置６の指令信号を送信するための、信号線２６が接続されている。
【００１９】
次に、操作盤７の動作につき、説明する。図３において、近接センサー１７の先端を欄干パネル８の外側面８Ｂに当接させた状態で、かつ、釦部材１３のフランジ部１３Ａが第一カバー１５の裏面側に押しばね１９により押圧させられた状態における、金属体１４と近接センサー１７との間の距離をＬ１とする。釦部材１３が指で押されて釦部材１３に設けた金属体１４が欄干パネル８の内側面８Ａに接近した状態における、金属体１４と近接センサー１７との間の距離をＬ２とする。
【００２０】
操作盤７の押し釦部材１３を押さないと、金属体１４と近接センサー１７との間の距離Ｌ１が保持されている。金属体１４と近接センサー１７との間の距離Ｌ１が保持されているときには、金属体１４に誘導電流が流れず検出コイル２１のインダクタンスが変化することなく、近接センサー１７から制御装置６に指令信号が送信されない。
【００２１】
操作盤７の押し釦部材１３を押すことで、金属体１４が図３に示す一点鎖線のように移動して、金属体１４と近接センサー１７との間の距離が、距離Ｌ１よりも小さくなり、距離Ｌ２以下になると、金属体１４に誘導電流が流れて検出コイル２１のインダクタンスが変化して近接センサー１７から制御装置６に指令信号が送信される。近接センサー１７から指令信号が制御装置６に送信されると、移動手摺４及び踏み面２の移動速度が通常速度よりも低い移動速度となるように、駆動機５の回転速度が制御される。
【００２２】
操作盤７を欄干パネル８に取り付けるには、始めに、欄干パネル８の内側面８Ａに第一ブラケット１２を、かつ、欄干パネル８の外側面８Ｂに第二ブラケット１６を、それぞれ接着剤若しくは両面テープで固定する。次に、第一ブラケット１２と押し釦部材１３のフランジ部１３Ａとの間に押しばね１９を設置した後、その押し釦部材１３の上から第一カバー１５を被せて押し釦部材１３のフランジ部１３Ａを第一カバー１５の裏面側に押圧させた状態で、その第一カバー１５を第一ブラケット１２にボルト２４、２４Ａを用いて固定する。その後、第二ブラケット１６に近接センサー１７を２個のナット２３、２３Ａを用いて固定する。最後に、近接センサー１７の上から第二カバー１８を被せ、その第二カバー１８を第二ブラケット１６に、ボルト２５を用いて固定すれば、操作盤７の取り付け作業が終了する。
【００２３】
以上のように、欄干パネル８への操作盤７の取り付けは、欄干パネル８に取り付け用の孔を設けることなく、欄干パネル８の内側面８Ａに直に固定される第一ブラケット１２と欄干パネル８の外側面８Ｂに直に固定される第二ブラケット１６を利用することで、簡単に行うことができ、移動手摺４及び踏み面２の移動速度が可変しない既設乗客コンベアを、移動手摺４及び踏み面２の移動速度が可変するように改造する場合における改造作業時間を大幅に短縮できる。また、既設乗客コンベアの欄干パネル８が強化ガラス製であっても、その欄干パネル８に既設乗客コンベアの現場にて操作盤７を取り付けることができる。また、既設乗客コンベアの欄干パネル８の厚さが異なっても、第二ブラケット１６に設けた取り付けねじ穴に対する円筒状ケース２０の雄ねじ部２０Ａの螺着位置を調整することで、対応させることができ、便利である。
【００２４】
上記一実施形態では、エスカレーターで説明したが、これに限定されるものではなく、動く歩道などを改造する場合にも適用できることはいうまでもない。
【００２５】
上記一実施形態による乗客コンベア用操作盤の出現により、操作盤を欄干パネルに取り付けるための穿孔作業が不要となり、既設乗客コンベアの改造作業時間が短縮化されて、既設乗客コンベアを利用していた乗客に長時間亘り不便を強いていることを軽減することができるので、移動手摺及び踏み面の移動速度が可変しない既設乗客コンベアを、移動手摺及び踏み面の移動速度が可変するようにする改造の普及促進を大幅に図ることができる。
【００２６】
【発明の効果】
本願の各請求項に係る発明によれば、欄干パネルに取り付け用の孔を設けることなく、既設乗客コンベアの現地で、欄干パネルに操作盤を簡単に設置することが可能となり、既設乗客コンベアの改造作業時間が短縮化され、既設乗客コンベアを利用している乗客に長時間亘り不便を強いることを阻止できるという効果を奏しえる乗客コンベア用操作盤がえられる。
【図面の簡単な説明】
【図１】本発明の一実施形態を示し、操作盤を欄干パネルに取り付けた状態における乗客コンベアの側面概略図である。
【図２】本発明の一実施形態を示し、操作盤を欄干パネルに取り付けた状態における乗客コンベア入口部分の拡大正面概略図である。
【図３】本発明の一実施形態を示し、欄干パネルに取り付けた操作盤部分の要部拡大縦断面図である。
【図４】本発明の一実施形態を示し、近接センサーの概略説明図である。
【符号の説明】
１　　乗客コンベア
２　　踏み面
３　　欄干
４　　移動手摺
５　　駆動機
６　　制御装置
７　　操作盤
８　　欄干パネル
８Ａ　内側面
８Ｂ　外側面
１２　　第一ブラケット
１３　　押し釦部材
１３Ａ　フランジ部
１４　　金属体
１５　　第一カバー
１６　　第二ブラケット
１７　　近接センサー
１８　　第二カバー
１９　　押しばね
２０　　円筒状ケース
２０Ａ　雄ねじ部
２１　　検出コイル
２２　　アンプ
【図１】
2004142851.tif 000003
【図２】
2004142851.tif 000004
【図３】
2004142851.tif 000005
【図４】
2004142851.tif 000006